(57)【要約】【課題】軸筒の外面に容易に印刷等の加工を行うことができる、着脱可能なクリップ部材を備えた筆記具を提供する。【解決手段】軸筒２を含む筆記具本体と、着脱可能であり、筆記具本体の側方に位置するクリップ部材８とを有する筆記具１は、クリップ部材８を筆記具本体に接続する接続機構を備え、軸筒２の接続機構に当たる部分には径方向外方に突出する突出部が形成されていない。【選択図】図１
2019119150.tif 000002
【特許請求の範囲】
【請求項１】
軸筒を含む筆記具本体と、着脱可能であり、前記筆記具本体の側方に位置するクリップ部材とを有する筆記具であって、
前記クリップ部材を前記筆記具本体に接続する接続機構を備え、
前記軸筒の前記接続機構に当たる部分には径方向外方に突出する突出部が形成されていない、ことを特徴とする筆記具。
【請求項２】
さらに、前記軸筒の後端開口に取り付けられた内筒を備え、
前記内筒は前記軸筒の側方に突出し、前記軸筒に沿って先端側に延びるクリップ保持部を有し、
前記クリップ保持部には、表面から突出して軸方向に延びる保持部が形成され、
前記クリップ部材には、軸方向に延びる切込部が形成され、
前記表面から突出する保持部が、前記軸方向に延びる切込部に嵌合することにより、前記クリップ部材は前記クリップ保持部に保持されている、請求項１に記載の筆記具。
【請求項３】
さらに、前記軸筒の後端開口に取り付けられた内筒を備え、
前記内筒は前記軸筒の側方に突出するクリップ保持部を有し、
前記クリップ保持部には軸方向に延びる貫通孔と、前記貫通孔に側方から連通する開口とが形成され、
前記クリップ部材は、弾性変形可能であり、先端に係止部を有するアーム部を備え、
前記アーム部が前記貫通孔内に位置し、前記係止部が前記開口内に位置することにより、前記クリップ部材は前記クリップ保持部に保持されている、請求項１に記載の筆記具。
【請求項４】
さらに、前記軸筒の後端開口に取り付けられた内筒を備え、
前記軸筒の後端部の内周面に螺条が形成され、
前記内筒は、外周面に螺条が形成された本体部を有し、
前記内筒の本体部には、後端縁から延びる切欠部が形成され、
前記クリップ部材は前記切欠部と略同形状であり、かつ、径方向外側の面に螺条が形成された挿入部を有し、
前記挿入部を前記切欠部内に配置した状態で、前記軸筒の螺条に前記内筒の螺条を螺合させることにより、前記クリップ部材は前記軸筒に取り付けられている、請求項１に記載の筆記具。
【請求項５】
さらに、前記軸筒の後端開口に回転可能に取り付けられた内筒を備え、
前記内筒は軸筒に沿って延びるカバー部を有し、
前記軸筒には溝又は開口が形成されており、
前記クリップ部材は、前記軸筒に形成された溝又は開口と略同形状の突部が径方向内面に形成された接続部を有し、
前記クリップ部材の前記突部を、前記軸筒の溝又は開口に嵌め込んだ状態で、前記カバー部により前記クリップ部材の前記接続部を径方向外方から覆うことにより、記クリップ部材は前記軸筒に取り付けられている、請求項１に記載の筆記具。
【請求項６】
さらに、前記軸筒の後端開口に取り付けられた内筒を備え、
前記内筒は前記軸筒の側方に延びるクリップ保持部を有し、
前記クリップ保持部には径方向に延びる孔が形成され、
前記クリップ部材は弾性変形可能であり、両側に係止部が形成された接続部を備え、
前記接続部が前記孔内に位置し、前記係止部が前記孔の縁に係止されることにより、前記クリップ部材は前記クリップ保持部に保持されている、請求項１に記載の筆記具。
【請求項７】
さらに、前記軸筒の後端開口に取り付けられた内筒を備え、
前記内筒は前記軸筒の側方に位置するクリップ保持部を有し、
前記クリップ保持部は、前記軸筒の軸に平行な平面内で当該クリップ保持部の全周にわたって形成された嵌合溝を有し、
前記クリップ部材は貫通孔を有し、
前記クリップ部材の貫通孔の縁が前記クリップ保持部の嵌合溝に嵌合することにより、前記クリップ部材が前記クリップ保持部に保持されている、請求項１に記載の筆記具。
【請求項８】
さらに、前記軸筒の後端開口に取り付けられた内筒を備え、
前記内筒は軸筒の側方に延びる円柱状の接続部を含むクリップ保持部を有し、当該接続部の周面には螺条が形成され、
前記クリップ部材は貫通孔を有し、当該貫通孔には螺条が形成され、
前記接続部の螺条が前記貫通孔の螺条と螺合することにより、前記クリップ部材が前記クリップ保持部に保持されている、請求項１に記載の筆記具。
【発明の詳細な説明】
【技術分野】
【０００１】
本発明は、着脱可能なクリップ部を有する筆記具に関する。
【背景技術】
【０００２】
従来より、筆記具を構成する筒体の外周面に、筒体に沿うように伸びるクリップが形成された筆記具が知られている。このようなクリップを備える筆記具として、例えば、特許文献１には、筒体に外周面から突出して長手方向に延びる突片を設けて、後端及び側面が開口する装着部を形成し、クリップに設けた取付部を後端の開口から装着部に取り付け、頭冠により後端の開口を閉塞することによりクリップを着脱可能とした筆記具が開示されている。
【先行技術文献】
【特許文献】
【０００３】
【特許文献１】特許第５９９６９９７号
【発明の概要】
【発明が解決しようとする課題】
【０００４】
しかしながら、特許文献１に記載された筆記具では、軸筒の接続機構に当たる部分に突片が形成されている。このような突片を軸筒の外周面に形成してしまうと、軸筒の外面に印刷等の加工を行うことが困難になる。
【０００５】
本発明は、上記の課題に鑑みなされたものであり、軸筒の外面に容易に印刷等の加工を行うことができる、着脱可能なクリップ部材を備えた筆記具を提供することである。
【課題を解決するための手段】
【０００６】
本発明の筆記具は、軸筒を含む筆記具本体と、着脱可能であり、筆記具本体の側方に位置するクリップ部材とを有する筆記具であって、クリップ部材を筆記具本体に接続する接続機構を備え、軸筒の接続機構に当たる部分には径方向外方に突出する突出部が形成されていない、ことを特徴とする。
【０００７】
上記構成の本発明によれば、軸筒の接続機構に当たる部分に径方向外方に突出する突出部が形成されていないため、軸筒の外面に容易に印刷等の加工を行うことができる。
【０００８】
本発明において、好ましくは、さらに、軸筒の後端開口に取り付けられた内筒を備え、内筒は軸筒の側方に突出し、軸筒に沿って先端側に延びるクリップ保持部を有し、クリップ保持部には、表面から突出して軸方向に延びる保持部が形成され、クリップ部材には、軸方向に延びる切込部が形成され、表面から突出する保持部が、軸方向に延びる切込部に嵌合することにより、クリップ部材はクリップ保持部に保持されている。
【０００９】
上記構成の本発明によれば、内筒のクリップ保持部に形成された保持部に、クリップ部材の切込部を嵌合させることにより、クリップ部材を着脱可能に筆記具本体に取り付けることができる。
【００１０】
本発明において、好ましくは、さらに、軸筒の後端開口に取り付けられた内筒を備え、内筒は軸筒の側方に突出するクリップ保持部を有し、クリップ保持部には軸方向に延びる貫通孔と、貫通孔に側方から連通する開口とが形成され、クリップ部材は、弾性変形可能であり、先端に係止部を有するアーム部を備え、アーム部が貫通孔内に位置し、係止部が開口内に位置することにより、クリップ部材はクリップ保持部に保持されている。
【００１１】
上記構成の本発明によれば、クリップ部材のアーム部を貫通孔に挿入し、係止部が貫通孔に連通する開口内に位置することにより、クリップ部材を着脱可能に筆記具本体に取り付けることができる。
【００１２】
本発明において、好ましくは、さらに、軸筒の後端開口に取り付けられた内筒を備え、軸筒の後端部の内周面に螺条が形成され、内筒は、外周面に螺条が形成された本体部を有し、内筒の本体部には、後端縁から延びる切欠部が形成され、クリップ部材は切欠部と略同形状であり、かつ、径方向外側の面に螺条が形成された挿入部を有し、挿入部を切欠部内に配置した状態で、軸筒の螺条に内筒の螺条を螺合させることにより、クリップ部材は軸筒に取り付けられている。
【００１３】
上記構成の本発明によれば、内筒の切欠部にクリップ部材の挿入部を配置した状態で、軸筒の螺条に内筒の螺条を螺合させることにより、クリップ部材を着脱可能に筆記具本体に取り付けることができる。
【００１４】
本発明において、好ましくは、さらに、軸筒の後端開口に回転可能に取り付けられた内筒を備え、内筒は軸筒に沿って延びるカバー部を有し、軸筒には溝又は開口が形成されており、クリップ部材は、軸筒に形成された溝又は開口と略同形状の突部が径方向内面に形成された接続部を有し、クリップ部材の突部を、クリップ部材の溝又は開口に嵌め込んだ状態で、カバー部によりクリップ部材の接続部を径方向外方から覆うことにより、クリップ部材は軸筒に取り付けられている。
【００１５】
上記構成の本発明によれば、クリップ部材の突部を、軸筒の溝又は開口に嵌め込んだ状態で、カバー部によりクリップ部材の接続部を径方向外方から覆うことにより、クリップ部材を着脱可能に筆記具本体に取り付けることができる。
【００１６】
本発明において、好ましくは、さらに、軸筒の後端開口に取り付けられた内筒を備え、内筒は軸筒の側方に延びるクリップ保持部を有し、クリップ保持部には径方向に延びる孔が形成され、クリップ部材は弾性変形可能であり、両側に係止部が形成された接続部を備え、接続部が孔内に位置し、係止部が孔の縁に係止されることにより、クリップ部材はクリップ保持部に保持されている。
【００１７】
上記構成の本発明によれば、クリップ部材の接続部を内筒の孔内に配置し、係止部を孔の縁に係止させることにより、クリップ部材を着脱可能に筆記具本体に取り付けることができる。
【００１８】
本発明において、好ましくは、さらに、軸筒の後端開口に取り付けられた内筒を備え、内筒は軸筒の側方に位置するクリップ保持部を有し、クリップ保持部は、軸筒の軸に平行な平面内で当該クリップ保持部の全周にわたって形成された嵌合溝を有し、クリップ部材は貫通孔を有し、クリップ部材の貫通孔の縁がクリップ保持部の嵌合溝に嵌合することにより、クリップ部材がクリップ保持部に保持されている。
【００１９】
上記構成の本発明によれば、クリップ部材の貫通孔の縁をクリップ保持部の嵌合溝に嵌合させることにより、クリップ部材を着脱可能に筆記具本体に取り付けることができる。
【００２０】
本発明において、好ましくは、さらに、軸筒の後端開口に取り付けられた内筒を備え、内筒は軸筒の側方に延びる円柱状の接続部を含むクリップ保持部を有し、当該接続部の周面には螺条が形成され、クリップ部材は貫通孔を有し、当該貫通孔には螺条が形成され、接続部の螺条が貫通孔の螺条と螺合することにより、クリップ部材がクリップ保持部に保持されている。
【００２１】
上記構成の本発明によれば、クリップ部材の貫通孔の螺条と、内筒の接続部の螺条とを螺合させることにより、クリップ部材を着脱可能に筆記具本体に取り付けることができる。
【発明の効果】
【００２２】
本発明によれば、軸筒の外面に容易に印刷等の加工を行うことができる、着脱可能なクリップ部材を備えた筆記具が提供できる。
【図面の簡単な説明】
【００２３】
【図１】本発明の第１実施形態による筆記具を示す斜視図である。
【図２】（ａ）は、図１に示す筆記具の側面図であり、（ｂ）は軸方向に沿った断面図である。
【図３】図１に示す筆記具の軸筒を示し、（ａ）は軸方向断面図であり、（ｂ）は後端部の斜視図である。
【図４】図１に示すノック式筆記具の内筒を示し、（ａ）は斜視図、（ｂ）は正面図、（ｃ）は軸方向に沿った断面図、（ｄ）は下面図である。
【図５】図１に示すノック式筆記具の回転子を示し、（ａ）は斜視図、（ｂ）は正面図である。
【図６】図１に示すノック式筆記具のノック部材を示し、（ａ）は斜視図、（ｂ）は正面図、（ｃ）は軸方向に沿った断面図、（ｄ）は前部の展開図である。
【図７】図１に示すノック式筆記具のクリップ部材を示し、（ａ）は斜視図、（ｂ）は正面図、（ｃ）は側面図である。
【図８】本発明の第２実施形態による筆記具を示す斜視図である。
【図９】（ａ）は、図８に示す筆記具の側面図であり、（ｂ）は軸方向に沿った断面図である。
【図１０】図８に示すノック式筆記具の内筒を示し、（ａ）は斜視図、（ｂ）は正面図、（ｃ）は軸方向に沿った断面図、（ｄ）は下面図である。
【図１１】図８に示すノック式筆記具のクリップ部材を示し、（ａ）は斜視図、（ｂ）は正面図、（ｃ）は側面図である。
【図１２】本発明の第３実施形態による筆記具の後端部を示す斜視図である。
【図１３】（ａ）は、図１２に示す筆記具の側面図であり、（ｂ）は軸方向に沿った断面図である。
【図１４】図１２に示す筆記具のクリップ部材を着脱する様子を示す斜視図である。
【図１５】（ａ）は、図１２に示す筆記具のクリップ部材を着脱する様子を示す側面図であり、（ｂ）は軸方向に沿った断面図である。
【図１６】本発明の第４実施形態による筆記具を示し、（ａ）は側面図であり、（ｂ）は軸方向に沿った断面図である。
【図１７】図１６に示す筆記具の後端部を拡大して示す斜視図である。
【図１８】図１６に示すノック式筆記具のクリップ部材を示し、（ａ）は径方向外方から見た斜視図、（ｂ）は径方向内方から見た斜視図である。
【図１９】本発明の第５実施形態による筆記具の後端部を示す斜視図である。
【図２０】（ａ）は、図１９に示す筆記具の側面図であり、（ｂ）は軸方向に沿った断面図である。
【図２１】図１９に示すノック式筆記具の内筒を示し、（ａ）は後方から見た斜視図、（ｂ）は前方から見た斜視図、（ｃ）は側面図、（ｄ）は軸方向に沿った断面図である。
【図２２】図１９に示すノック式筆記具のクリップ部材を示し、（ａ）は斜視図、（ｂ）は正面図、（ｃ）は側面図である。
【図２３】本発明の第６実施形態による筆記具の内筒及びクリップ部材を示す斜視図である。
【図２４】図２３に示す筆記具の内筒を示し、（ａ）は正面図、（ｂ）は軸方向断面図、（ｃ）は上面図である。
【図２５】図２３に示す筆記具のクリップ部材を示し（ａ）は斜視図、（ｂ）は（ａ）におけるｂ−ｂ断面図、（ｃ）は（ａ）におけるｃ−ｃ断面図である。
【図２６】本発明の第７実施形態による筆記具の内筒及びクリップ部材を示す斜視図である。
【図２７】本発明の第７実施形態による筆記具の内筒及びクリップ部材を示し、（ａ）は正面図、（ｂ）は軸方向断面図である。
【図２８】図２６に示す筆記具の内筒を示し、（ａ）は斜視図、（ｂ）は正面図である。
【図２９】図２６に示す筆記具のクリップ部材を示し、（ａ）は斜視図、（ｂ）は側面図である。
【発明を実施するための形態】
【００２４】
＜第１実施形態＞
以下、本発明の第１実施形態による筆記具について図面を参照しながら詳細に説明する。なお、以下の説明では、リフィルの筆先が出没する側を先端側又は前方といい、出没機構のノック部が延出する側を後端側又は後方という。
【００２５】
図１は、本発明の第１実施形態による筆記具を示す斜視図である。また、図２（ａ）は、図１に示す筆記具の側面図であり、（ｂ）は軸方向に沿った断面図である。図１及び図２に示すように、本実施形態のノック式筆記具１は、円筒状の軸筒２と、軸筒２内に収容されたリフィル部材４と、軸筒２の後端部に設けられた出没機構６と、出没機構６に接続されたクリップ部材８と、を備える。軸筒２と、リフィル部材４と、出没機構６と、により筆記具本体が構成される。
【００２６】
図３は、図１に示す筆記具の軸筒を示し、（ａ）は軸方向断面図であり、（ｂ）は後端部の斜視図である。図３に示すように、軸筒２は先端部が先細り状である円筒形状に形成されている。軸筒２の先端部には先端開口２ａが形成されており、後端部には後端開口２ｂが形成されている。軸筒２の後端部の内面には螺合部（螺条）２ｃが形成されている。また、軸筒２の中間部には段部２ｄが形成されており、段部２ｄより後端側の軸筒２の内径は、先端側の内径よりも大きくなっている。軸筒２の後縁には、所定の角度位置に三角形状の切欠部２ｅが形成されている。また、切欠き部２ｅの前方には、出没機構６に構成される内筒１０を螺合による取り付け時に突部１０ｄ５が嵌る際に弾性変形するための貫通孔２ｆが形成されている。なお、本実施形態では、軸筒２のクリップを接続するための接続機構に当たる部分には突出部が形成されていない。
【００２７】
図４は、図１に示すノック式筆記具の内筒を示し、（ａ）は斜視図、（ｂ）は正面図、（ｃ）は軸方向に沿った断面図、（ｄ）下面図である。図４に示すように、内筒１０は、円筒状の本体部１０ａと、本体部１０ａから先端側に延びるカム部１０ｂと、本体部１０ａの後端側に接続された後端部１０ｃと、後端部１０ｃから側方に延びるクリップ保持部１０ｄとを備える。これら、本体部１０ａと、カム部１０ｂと、後端部１０ｃと、クリップ保持部１０ｄとは一体に成形されている。
【００２８】
本体部１０ａは円筒状であり、本体部１０ａの外径は軸筒２の内径と略等しくなっている。本体部１０ａの外周面には螺合部（螺条）１０ｅが形成されている。また、本体部１０ａの内周面には、対向する位置に１８０度の角度間隔で、軸方向に延びる軸方向突部１０ｆが形成されている。
【００２９】
カム部１０ｂは略円筒状であり、その内径及び外径は本体部１０ａの内径及び外径と等しくなっている。図４（ａ）に示すように、カム部１０ｂには、周方向に等角度（９０度）間隔で第１の切欠部１８と、第２の切欠部２０とが交互に形成されている。第１の切欠部１８は、先端縁から軸方向後方に延びる軸方向溝部１８ａと、軸方向溝部１８ａに時計回り（図４（ｂ）の右方向）に連続して形成された案内部１８ｂとを有する。軸方向溝部１８ａは、一定の周方向幅で軸方向に延びる溝であり、第２の切欠部２０よりも後方へ延びている。案内部１８ｂは、周面で見て、時計回りに切込深さ（内筒の先端縁からの距離）が小さくなるような三角形状に形成されている。第２の切欠部２０は、周面で見て、時計回りに切込深さが小さくなるような三角形状に形成されている。第２の切欠部２０の最大切込深さは、第１の切欠部１８の軸方向溝部１８ａの切込深さよりも小さく、案内部１８ｂの最大切込深さよりも大きくなっている。第２の切欠部２０の反時計回り（図４（ｂ）の左方向）端部の位置は、隣接する第１の切欠部１８の案内部１８ｂの時計回り端部の位置と一致している。また、第２の切欠部２０の時計回り端部の位置は、隣接する第１の切欠部１８の軸方向溝部１８ａの反時計回り端部の位置と一致している。
後端部１０ｃは、外径が軸筒２の外径よりもわずかに小さい円筒状に形成されている。
【００３０】
クリップ保持部１０ｄは、後端部１０ｃから半径方向外方、かつ、前方に延びる接続部１０ｄ１と、接続部１０ｄ１の前端から前方に延びる本体部１０ｄ２と、本体部１０ｄ２の半径方向内面に形成された第１の保持部１０ｄ３と、第１の保持部１０ｄ３に連続して形成された第２の保持部１０ｄ４と、を有する。第１の保持部１０ｄ３は、本体部１０ｄ２の内面に立設された軸方向に延びる基部１０ｄ３ａと、基部１０ｄ３ａの半径方向内側に形成された拡幅部１０ｄ３ｂとを備え、軸方向に垂直な面の断面形状が丁字状を呈している。第２の保持部１０ｄ４は、第１の保持部１０ｄ３の拡幅部１０ｄ３ｂの幅と等しくなっている。第２の保持部１０ｄ４の先端側（図４（ｂ）の下側）の面には突部１０ｄ５が形成されている。
【００３１】
図５は、図１に示すノック式筆記具の回転子を示し、（ａ）は斜視図、（ｂ）は正面図である。図５に示すように、回転子１２は、円筒状の基部２１と、基部２１から前方に延びる４本のカム柱２８と、カム柱２８の前端に接続された保持部３０と、を有する。
基部２１は、円筒状の本体部２２と、本体部２２の後端側に接続された円環状の後端部２４と、本体部２２の先端側に接続された円環状の円環部２６と、を有する。
【００３２】
本体部２２は、円筒状に形成されており、外径が、後述するノック部材１６の前部の内径よりもわずかに小さくなっている。本体部２２の後端部には後方に向かって縮径する縮径部２２ａを有する。
【００３３】
後端部２４は、本体部２２の後端に連続する円柱部２４ａと、円柱部２４ａの後端に連続する円錐台状（截頭円錐体状）の円錐台部２４ｂと、円錐台部２４ｂの後端に連続する表示部２４ｃとを有する。円柱部２４ａは、軸方向に同一な円形断面形状である。円柱部２４ａの外径は、ノック部材１６の後部３６の内径よりもわずかに小さくなっている。円錐台部２４ｂは、先端側の径が大きい円錐台形状である。円錐台部２４ｂの後端の径は、円柱部２４ａ及び表示部２４ｃの径と略等しくなっている。表示部２４ｃは、円錐台部２４ｂの後端から後方に延びる円柱状の部位である。表示部２４ｃには軸方向に延びる複数の溝が形成されている。
【００３４】
円環部２６は、本体部２２の前端部に接続されており、円環状に形成されている。円環部２６の外径は本体部２２の外径よりも大きく、保持部３０の外径よりも小さくなっている。円環部２６の後方の表面には周方向に９０度間隔で、４つのカム突部２６ａが形成されている。カム突部２６ａは、後方に向かって突出する二等辺三角形状になっている。
【００３５】
カム柱２８は、軸方向に垂直な面で円弧状の断面形状を有し、基部２１の円環部２６の径方向外周面に接続され、前方に向かって延びている。カム柱２８は、周方向に９０度間隔で取り付けられている。カム柱２８は、円環部２６に形成されたカム突部２６ａの半分の周方向幅を有する。各カム柱２８は、円環部２６のカム突部２６ａの図５（ｂ）〜（ｄ）の右半部の外面に接続されている。カム柱２８の後端面は、円環部２６のカム突部２６ａの時計回り方向の半部の後端面と面一になっている。すなわち、カム柱２８の後端面は、時計回りに後方への突出高さが低くなるような傾斜面に形成されている。
【００３６】
保持部３０は円環状に形成されている。保持部３０の内径及び外径はカム柱２８の内径及び外径と等しくなっている。
スプリング部材１４は、らせん状の金属部材からなるばね部材である。
【００３７】
図６は、図１に示すノック式筆記具のノック部材を示し、（ａ）は斜視図、（ｂ）は正面図、（ｃ）は軸方向に沿った断面図、（ｄ）は前部の展開図である。ノック部材１６は、前部３２と、前部の後方に連続する中間部３４と、中間部３４の後方に連続する後部３６とを有する。
前部３２は、少なくとも前方に開口する円柱状の内部空間が形成され、一対の円弧状断面の壁面により形成されている。前部３２の外径は、内筒１０の本体部１０ａの内径よりもわずかに小さい。また、前部３２の内径は、ノック部材１６の本体部２２の外径よりもわずかに大きい。前部３２には、軸方向に延び前方に開口し、後方に所定の長さ延びる一対の軸方向溝部３２ａが、周方向に１８０度の間隔で形成されている。また、前部３２の前端部の端面には、一対の軸方向溝部３２ａの間にそれぞれ３つの周方向に三角形状の突部３２ｂが形成されている。
【００３８】
中間部３４は円環状に形成されており、内面に円環状に突出する係止部３４ｂが形成されている。係止部３４ｂの前部は、好ましくは、図６（ｃ）に示すように、後方に向かって縮径するような傾斜面が形成されていることが好ましい。
後部３６は円筒状に形成されている。また、外周面の対向する部分が扁平に形成されている。
【００３９】
図１に示すように、ノック部材１６は、ノック部材１６の軸方向溝部３２ａ内に内筒１０の軸方向突部１０ｆが位置するように、後方から内筒１０内に挿入されている。また、回転子１２は、基部２１に形成された円錐台部２４ｂがノック部材１６の係止部３４ｂを超える位置まで、ノック部材１６内に前方から挿入されている。内筒１０のカム部１０ｂと回転子１２のカム柱２８とは軸筒２の内面に沿っており、同円上に位置している。
【００４０】
このような構成により、ノック部材１６は、内筒１０に対して回転が拘束されるとともに、内筒１０に対して軸方向に相対移動可能である。また、回転子１２はノック部材１６に対して回転可能であるとともに、ノック部材１６の係止部３４ｂが回転子１２の円錐台部２４ｂに当接する位置と、ノック部材１６の突部３２ｂ１、３２ｂ２、３２ｂ３が回転子１２のカム突部２６ａと当接する位置との間で、軸方向に相対移動可能になっている。
【００４１】
そして、内筒１０の本体部１０ａ及びカム部１０ｂが軸筒２の後端開口２ｂ内に収容され、軸筒２の螺合部と内筒１０の螺合部１０ｅとが螺合することにより、内筒１０が軸筒２の後端部に取り付けられている。
【００４２】
また、リフィル部材４の後端部は、回転子１２の円環状の保持部３０内に挿入され、円環部２６の前面に当接している。これにより、リフィル部材４は回転子１２により繰出及び引き戻し可能に保持されている。
【００４３】
また、スプリング部材１４は、リフィル部材４と軸筒２との間に配置されている。スプリング部材１４は収縮した状態で、軸筒２の段部２ｄと、回転子１２の保持部３０との間に挟み込まれている。これにより、回転子１２はスプリング部材１４により後方に向かって付勢されている。
【００４４】
本実施形態のノック式筆記具の出没機構は、スプリング部材１４の付勢力に抗しながらノック部材１６を押圧することにより、回転子１２が前方に移動するとともに、内筒１０に対して回転する。これにより、回転子１２のカム柱２８が内筒１０の切欠部１８に収容された状態と、第２の切欠部２０に収容された状態と、を切り替えることができる。これにより、回転子１２に保持されたリフィル部材４の筆先部４ｂが軸筒２内に収容された状態と、リフィル部材４の筆先部４ｂが軸筒２の先端開口２ａから突出した状態とを切り替えることができる。
【００４５】
図７は、図１に示すノック式筆記具のクリップ部材を示し、（ａ）は斜視図、（ｂ）は正面図、（ｃ）は側面図である。図７に示すように、クリップ部材８は、接続部８ａと、接続部８ａから前方に軸方向に延びる本体部８ｂとを備える。接続部８ａは、軸方向に延びる基部８ａ１と、基部８ａ１の先端から半径方向内側に延びる先端部８ａ２とを備える。接続部８ａには先端部８ａ２から基部８ａ１まで延びる切欠部８ｃが形成されている。また、基部８ａ１における切欠部８ｃの径方向外方の両縁には、切欠部８ｃの中心に向かって突出する側縁部８ｄが形成されている。
【００４６】
次に、クリップ部材８と軸筒２の接続機構について説明する。
内筒１０の螺合部１０ｅを、軸筒２の螺合部２ｃに螺合させると、クリップ保持部１０ｄの突部１０ｄ５が軸筒２の切欠部２ｅに入り込み係止される。この状態で、クリップ部材８の切欠部８ｃに内筒１０の第１の保持部１０ｄ３の基部１０ｄ３ａが挿入されており、切欠部８ｃに保持部１０ｄが嵌合している。これにより、クリップ部材８の側縁部８ｄがクリップ保持部１０ｄの本体部１０ｄ２と拡幅部１０ｄ３ｂとの間に挟み込まれる。さらに、図２（ａ）に示すように、クリップ部材８の先端部８ａ２が、内筒１０の接続部１０ｄ１と軸筒２に前後から挟み込まれる。これにより、クリップ部材８は軸筒２に対して固定接続されている。
【００４７】
なお、クリップ部材８は、出没機構６を軸筒２に取り付ける前に、予め出没機構６の内筒１０に取り付けておき、出没機構６の内筒１０の螺合部１０ｅを、軸筒２の螺合部２ｃに螺合させることにより、クリップ部材８を出没機構６とともに軸筒２に取り付けることができる。また、これとは逆に、内筒１０を軸筒２から取り外し、クリップ部材８を内筒１０から取り外すことにより、クリップ部材８を軸筒２から取り外すことができる。
【００４８】
なお、本実施形態では、クリップ部材８に切欠部８ｃを設け、内筒１０に第１の保持部１０ｄ３を設け、切欠部８ｃに第１の保持部１０ｄ３が嵌合することにより、クリップ部材８を内筒１０に固定しているが、これに限らず、クリップ部材に表面から突出して軸方向に延びる保持部を設け、内筒のクリップ保持部に軸方向に延びる切込部を設け、保持部を切込部に嵌合させて固定してもよい。
【００４９】
以上説明したように、本実施形態によれば、内筒１０のクリップ保持部１０ｄに形成された第１の保持部１０ｄ３に、クリップ部材８の切欠部８ｃを嵌合させることにより、クリップ部材８を着脱可能に筆記具本体に取り付けることができる。
そして、かかる構成の本実施形態によれば、軸筒２の後端の外周部に突部が形成されていないため、軸筒２の外面に容易に印刷等の加工を行うことができる。
【００５０】
＜第２実施形態＞
以下、本発明の第２実施形態による筆記具について説明する。なお、本実施形態において、第１実施形態と同様の構成については同じ符号を付して説明を省略する。
図８は、本発明の第２実施形態による筆記具を示す斜視図である。また、図９（ａ）は、図８に示す筆記具の側面図であり、（ｂ）は軸方向に沿った断面図である。図８及び図９に示すように、ノック式筆記具１０１は、円筒状の軸筒２と、軸筒２内に収容されたリフィル部材４と、軸筒２の後端部に設けられた出没機構６と、出没機構６に接続されたクリップ部材１０８と、を備える。出没機構６は、内筒１１０と、回転子１２と、スプリング部材１４と、ノック部材１６とを備える。本実施形態では、軸筒２のクリップを接続するための接続機構に当たる部分には突出部が形成されていない。
【００５１】
図１０は、図８に示すノック式筆記具の内筒を示し、（ａ）は斜視図、（ｂ）は正面図、（ｃ）は軸方向に沿った断面図、（ｄ）は下面図である。図１０に示すように、内筒１１０は、円筒状の本体部１０ａと、本体部１０ａから先端側に延びるカム部１０ｂと、本体部１０ａの後端側に接続された円環状の後端部１０ｃと、後端部１０ｃから側方に延びるクリップ保持部１１０ｄとを備える。これら、本体部１０ａと、カム部１０ｂと、後端部１０ｃと、クリップ保持部１１０ｄとは一体に成形されている。
【００５２】
クリップ保持部１１０ｄは、内筒１０の後端部１０ｃから側方に延びる腕部１１０ｄ１と、腕部１１０ｄ１の先端に接続された収容部１１０ｄ２とを備える。収容部１１０ｄ２には軸方向に延びる矩形断面の貫通孔１１０ｄ３が形成されている。また、収容部１１０ｄ２の中間部の横方向両側には貫通孔１１０ｄ３に連通する一対の係止開口１１０ｄ４が形成されている。腕部１１０ｄ１の先端側（図１０（ｂ）の下側）の面には突部１１０ｄ５が形成されている。
【００５３】
図１１は、図８に示すノック式筆記具のクリップ部材を示し、（ａ）は斜視図、（ｂ）は正面図、（ｃ）は側面図である。図１１に示すように、クリップ部材１０８は、本体部１０８ｂと、本体部１０８ｂの端部から軸方向に延びる一対の弾性アーム部１０８ａとを備える。クリップ部材１０８の少なくとも弾性アーム部１０８ａは弾性変形可能な樹脂材料等により形成されている。一対の弾性アーム部１０８ａは、それぞれ、横方向外側に拡幅する係止部１０８ａ１を有する。
【００５４】
次に、クリップ部材１０８と軸筒２の接続機構について説明する。
内筒１１０は、内筒１１０の螺合部１０ｅを、軸筒２の螺合部２ｃに螺合させると、クリップ保持部１１０ｄの突部１１０ｄ５が軸筒２の切欠部２ｅに入り込み係止される。この状態で、クリップ部材１０８の一対の弾性アーム部１０８ａを中央に向けて撓ませた状態で、内筒１１０の収容部１１０ｄ２の貫通孔１１０ｄ３に挿入する。これにより、一対の弾性アーム部１０８ａの係止部１０８ａ１が、それぞれ、内筒１１０の係止開口１１０ｄ４に入り込む。これにより、一対の弾性アーム部１０８ａの係止部１０８ａ１が、係止開口１１０ｄ４の縁に当接し、クリップ部材１０８が内筒１１０の貫通孔１１０ｄ３から抜けなくなる。これにより、クリップ部材１０８は内筒１１０を介して軸筒２に固定接続される。なお、クリップ部材１０８を内筒１１０から取り外すには、係止開口１１０ｄ４から一対の弾性アーム部１０８ａを中央に向けて撓ませ、この状態でクリップ部材１０８を貫通孔１１０ｄ３から引き抜けばよい。
【００５５】
なお、本実施形態では、クリップ部材１０８の弾性アーム部１０８ａを先端側から内筒１１０の貫通孔１１０ｄ３に挿入したが、これに限らず、後端側から挿入してもよい。
【００５６】
以上説明したように、本実施形態によれば、クリップ部材１０８のアーム部１０８ａを貫通孔１１０ｄ３に挿入し、係止部１０８ａ１が貫通孔１１０ｄ３に連通する係止開口１１０ｄ４内に位置することにより、クリップ部材１０８を着脱可能に筆記具本体に取り付けることができる。
そして、かかる構成の本実施形態によれば、軸筒２の後端の外周部に突部が形成されていないため、軸筒２の外面に容易に印刷等の加工を行うことができる。
【００５７】
＜第３実施形態＞
以下、本発明の第３実施形態による筆記具について説明する。なお、本実施形態において、第１実施形態と同様の構成については同じ符号を付して説明を省略する。
図１２は、本発明の第３実施形態による筆記具の後端部を示す斜視図である。また、図１３（ａ）は、図１２に示す筆記具の側面図であり、（ｂ）は軸方向に沿った断面図である。図１２及び図１３に示すように、ノック式筆記具２０１は、円筒状の軸筒２と、軸筒２内に収容されたリフィル部材４と、軸筒２の後端部に設けられた出没機構６と、出没機構６に接続されたクリップ部材２０８と、を備える。出没機構６は、内筒２１０と、回転子１２と、スプリング部材１４と、ノック部材１６とを備える。なお、本実施形態では、回転子１２の中央に貫通孔２１２が形成されるとともに、ノック部材１６の中央に先端に向かって延びる円柱部２１６が形成され、回転子１２の貫通孔２１２にノック部材１６の円柱部２１６が挿入されている。また、本実施形態では、軸筒２のクリップを接続するための接続機構に当たる部分には突出部が形成されていない。
【００５８】
図１４は、図１２に示す筆記具のクリップ部材を着脱する様子を示す斜視図である。また、図１５（ａ）は、図１２に示す筆記具のクリップ部材を着脱する様子を示す側面図であり、（ｂ）は軸方向に沿った断面図である。
図１４及び図１５に示すように、内筒２１０は、円筒状の本体部２１０ａと、本体部２１０ａから先端側に延びるカム部１０ｂと、本体部２１０ａの後端側に接続された円環状の後端部２１０ｃと、後端部２１０ｃから側方に延びるクリップ保持部２１０ｄとを備える。これら、本体部１０ａと、カム部１０ｂと、後端部２１０ｃと、クリップ保持部２１０ｄとは一体に成形されている。
【００５９】
本体部２１０ａは円筒状であり、本体部２１０ａの外径は軸筒２の内径と略等しくなっている。本体部２１０ａの外周面には螺合部１０ｅが形成されている。本体部２１０ａの内周面には、対向する位置に１８０度の角度間隔で、軸方向に延びる軸方向突部（図示せず）が形成されている。また、本体部２１０ａのクリップ部材２０８が取り付けられる側の後端部には切欠部２１０ａ１が形成されている。
【００６０】
クリップ保持部２１０ｄには、軸方向に延びる開口部２１０ｄ１が形成されている。クリップ保持部２１０ｄの開口部２１０ｄ１は、本体部２１０ａの切欠部２１０ａ１と連続しており、開口部２１０ｄ１の幅は、切欠部２１０ａ１の幅と等しい。クリップ保持部２１０ｄの後端側（図１５の上方）の面は、外方に向かって前方に傾斜している。
【００６１】
クリップ部材２０８は、本体部２０８ａと、本体部２０８ａの後端部から径方向内方にのびる接続部２０８ｃと、接続部２０８ｃの径方向内側に接続された挿入部２０８ｂとを備える。
【００６２】
クリップ部材２０８の本体部２０８ａはＶ字状に形成されており、本体部２０８ａの上端部の切り込みに、接続部２０８ｃの外方部２０８ｃ３が挟み込まれて固定されている。接続部２０８ｃは、半径方向内側の円弧部２０８ｃ１と、円弧部２０８ｃ１の半径方向外側に連続する中間部２０８ｃ２と、中間部２０８ｃ２の半径方向外側に連続する外方部２０８ｃ３とを有する。円弧部２０８ｃ１は、内筒２１０の開口部２１０ｄ１と同形状の断面形状を有する。中間部２０８ｃ２の前方の面は外方に向かって前方に傾斜している。挿入部２０８ｂの径方向外側面には螺条２０８ｂ１が形成されている。この螺条２０８ｂ１は、挿入部２０８ｂを内筒２１０の切欠部２１０ａ１に配置した際に、本体部２１０ａの螺合部１０ｅと螺旋状に連続する。
【００６３】
次に、クリップ部材２０８と軸筒２の接続機構について説明する。
クリップ部材２０８を軸筒２に取り付けるには、まず、軸筒２に内筒２１０を取り付ける前に、クリップ保持部２１０ｄの開口部２１０ｄ１に、後端側からクリップ部材２０８の挿入部２０８ｂを、円弧部２０８ｃ１が開口部２１０ｄ１に嵌合するまで挿入する。円弧部２０８ｃ１が開口部２１０ｄ１に嵌合すると、クリップ部材２０８の螺条２０８ｂ１が本体部２１０ａの螺合部１０ｅと螺旋状に連続する。また、内筒２１０のクリップ保持部２１０ｄの前方の傾斜面と、クリップ部材２０８の中間部２０８ｃ２の後方の傾斜面とが当接する。このような状態で、内筒２１０の螺合部１０ｅと軸筒２の螺合部とを螺合させて、クリップ部材２０８が取り付けた状態の内筒２１０を軸筒２の後端部に取り付ける。これにより、クリップ部材２０８の円弧部２０８ｃ１及び挿入部２０８ｂが、内筒２１０の開口部２１０ｄ１及び切欠部２１０ａ１に嵌まり込み、クリップ部材２０８の内筒２１０に対する横方向移動が拘束される。また、クリップ部材２０８の螺条２０８ｂ１が軸筒２の螺合部と係合するため、クリップ部材２０８の軸方向移動が拘束される。すなわち、クリップ部材２０８が軸筒２に内筒２１０を介して取り付けられる。
【００６４】
なお、クリップ部材２０８を軸筒２から取り外すには、まず、内筒２１０を軸筒２に対して回転させ、軸筒２からクリップ部材２０８が取り付けられた内筒２１０を取り外す。そして、クリップ部材２０８の挿入部２０８ｂを内筒２１０の開口部２１０ｄ１から離脱させる。これにより、クリップ部材２０８を軸筒２から取り外すことができる。
【００６５】
上記構成の本発明によれば、内筒２１０の切欠部２１０ａ１にクリップ部材２０８の挿入部２０８ｂを配置した状態で、軸筒２の螺合部に内筒２１０の螺合部１０ｅを螺合させることにより、クリップ部材２０８を着脱可能に筆記具本体に取り付けることができる。
そして、かかる構成の本実施形態によれば、軸筒２の後端の外周部に突部が形成されていないため、軸筒２の外面に容易に印刷等の加工を行うことができる。
【００６６】
＜第４実施形態＞
以下、本発明の第４実施形態による筆記具について説明する。なお、本実施形態において、第１実施形態と同様の構成については同じ符号を付して説明を省略する。
図１６は、本発明の第４実施形態による筆記具を示し、（ａ）は側面図であり、（ｂ）は軸方向に沿った断面図である。図１６に示すように、ノック式筆記具３０１は、円筒状の軸筒２と、軸筒２内に収容されたリフィル部材４と、軸筒３０２の後端部に設けられた出没機構６と、出没機構６に接続されたクリップ部材３０８と、を備える。出没機構６は、内筒３１０と、回転子１２と、スプリング部材１４と、ノック部材１６とを備える。
【００６７】
図１７は図１６に示す筆記具の後端部を拡大して示す斜視図である。なお、図１７では、ノック部材及びクリップ部材を取り外し、内筒を軸筒に対して略９０度回転させた状態を示す。図１７に示すように、第４実施形態の軸筒３０２は、後端部に軸筒３０２内まで貫通する貫通孔３０２ｆが形成されている点で第１実施形態の軸筒２と異なっている。貫通孔３０２ｆは、軸筒３０２の後端縁に形成された切欠部３０２ｅと軸方向に整列している。なお、本実施形態では、軸筒３０２のクリップを接続するための接続機構に当たる部分には突出部が形成されていない。
【００６８】
内筒３１０は、円筒状の本体部１０ａと、本体部１０ａから先端側に延びるカム部１０ｂと、本体部１０ａの後端側に接続された円環状の後端部１０ｃと、後端部１０ｃから側方に延びるクリップ保持部３１０ｄとを備える。これら、本体部１０ａと、カム部１０ｂと、後端部１０ｃと、クリップ保持部３１０ｄとは一体に成形されている。
【００６９】
クリップ保持部３１０ｄは、内筒３１０の後端部１０ｃから側方に延びる腕部３１０ｄ１と、腕部３１０ｄ１の先端に接続され、軸方向前方に延びるカバー部３１０ｄ２とを有する。カバー部３１０ｄ２は、軸方向に垂直な断面で軸筒３０２と同心の円弧状の断面形状を有する。カバー部３１０ｄ２は、内筒３１０を軸筒３０２に取り付けた状態で軸筒３０２の貫通孔３０２ｆを覆うことができるような長さ及び幅を有する。腕部３１０ｄ１の先端側の面には、第２実施形態と同様に突部（図示せず）が形成されている。
【００７０】
図１８は、図１６に示すノック式筆記具のクリップ部材を示し、（ａ）は径方向外方から見た斜視図、（ｂ）は径方向内方から見た斜視図である。図１８に示すように、クリップ部材３０８は、本体部３０８ｂと、本体部３０８ｂの後端部から径方向内方に延びる中間部３０８ｃと、中間部３０８ｃから後方に延びる接続部３０８ａとを備える。接続部３０８ａは、軸筒３０２の外周面と、内筒３１０のカバー部３１０ｄ２との間の間隔と略等しい厚さを有する。接続部３０８ａの径方向外面は、内筒３１０のカバー部３１０ｄ２の径方向内面と同じ曲率の円弧状の断面形状を有する。接続部３０８ａの径方向内面は、軸筒３０２の外周面の径方向外面と同じ曲率の円弧状の断面形状を有する。接続部３０８ａの径方向内面には、突部３０８ａ１が形成されている。突部３０８ａ１は、軸筒３０２に形成された貫通孔３０２ｆと略等しい形状に形成されている。突部３０８ａ１の突出高さは、軸筒３０２の厚さと等しくなっており、突部３０８ａ１に内面は軸筒３０２の内径と等しい径の円弧状断面に形成されている。突部３０８ａ１の内面には、螺条３０８ａ２が形成されている。
【００７１】
次に、クリップ部材３０８と軸筒３０２の接続機構について説明する。
クリップ部材３０８を軸筒３０２に接続するためには、まず、内筒３１０のカバー部３１０ｄ２が軸筒３０２の貫通孔３０２ｆを覆っていな状態まで、内筒３１０を軸筒３０２に対して回転させる。次に、クリップ部材３０８の本体部３０８ｂが軸筒３０２の側方に沿うように、クリップ部材３０８の突部３０８ａ１を軸筒３０２の貫通孔３０２ｆに嵌め込む。クリップ部材３０８の突部３０８ａ１を軸筒３０２の貫通孔３０２ｆに嵌め込むと、突部３０８ａ１の内面に形成された螺条３０８ａ２が軸筒３０２の後端部の内面に形成された螺条と連続する。次に、内筒３１０のカバー部３１０ｄ２が軸筒３０２の貫通孔３０２ｆを覆う状態まで、内筒３１０を軸筒３０２に対して回転させる。これにより、クリップ部材３０８の接続部３０８ａが内筒３１０のカバー部３１０ｄ２により外方が覆われ、クリップ部材３０８の突部３０８ａ１は軸筒３０２の貫通孔３０２ｆから離脱することができなくなる。これにより、クリップ部材３０８を軸筒３０２に接続することができる。
【００７２】
クリップ部材３０８を軸筒３０２から取り外すには、内筒３１０のカバー部３１０ｄ２が軸筒３０２の貫通孔３０２ｆを覆っていない状態まで、内筒３１０を軸筒３０２に対して回転させる。そして、クリップ部材３０８の突部３０８ａ１を軸筒３０２の貫通孔３０２ｆから離脱させる。これにより、クリップ部材３０８を軸筒３０２から取り外すことができる。
【００７３】
なお、本実施形態では、軸筒３０２に貫通孔３０２ｆを形成したが、クリップ部材３０８の突部３０８ａ１を嵌め込む部位は、必ずしも貫通する必要はなく、溝として形成してもよい。
【００７４】
本実施形態によれば、クリップ部材３０８の突部３０８ａ１を、軸筒３０２の貫通孔３０２ｆに嵌め込んだ状態で、カバー部３１０ｄ２によりクリップ部材３０８の接続部３０８ａを径方向外方から覆うことにより、クリップ部材３０８を着脱可能に筆記具本体に取り付けることができる。
そして、かかる構成の本実施形態によれば、軸筒３０２の後端の外周部に突部が形成されていないため、軸筒３０２の外面に容易に印刷等の加工を行うことができる。
【００７５】
＜第５実施形態＞
以下、本発明の第５実施形態による筆記具について説明する。なお、本実施形態において、第１実施形態と同様の構成については同じ符号を付して説明を省略する。
図１９は、本発明の第５実施形態による筆記具の後端部を示す斜視図である。また、図２０（ａ）は、図１９に示す筆記具の側面図であり、（ｂ）は軸方向に沿った断面図である。図１９及び図２０に示すように、ノック式筆記具４０１は、円筒状の軸筒２と、軸筒２内に収容されたリフィル部材４と、軸筒２の後端部に設けられた出没機構６と、出没機構６に接続されたクリップ部材４０８と、を備える。出没機構６は、内筒４１０と、回転子１２と、スプリング部材１４と、ノック部材１６とを備える。本実施形態では、軸筒２のクリップを接続するための接続機構に当たる部分には突出部が形成されていない。
【００７６】
図２１は、図１９に示すノック式筆記具の内筒を示し、（ａ）は後方から見た斜視図、（ｂ）は前方から見た斜視図、（ｃ）は側面図、（ｄ）は軸方向に沿った断面図である。図２１に示すように、内筒４１０は、円筒状の本体部１０ａと、本体部１０ａから先端側に延びるカム部１０ｂと、本体部１０ａの後端側に接続された円環状の後端部１０ｃと、後端部１０ｃから側方に延びるクリップ保持部４１０ｄとを備える。これら、本体部１０ａと、カム部１０ｂと、後端部１０ｃと、クリップ保持部４１０ｄとは一体に成形されている。
【００７７】
クリップ保持部４１０ｄは、内筒１０の後端部１０ｃから側方に延びる腕部４１０ｄ１と、腕部４１０ｄ１の先端に接続された収容部４１０ｄ２とを備える。収容部４１０ｄ２には径方向に延びる矩形断面の貫通孔４１０ｄ３が形成されている。また、収容部４１０ｄ２における貫通孔４１０ｄ３の半径方向内方の両側縁には、それぞれ切欠部４１０ｄ４が形成されている。
【００７８】
図２２は、図１９に示すノック式筆記具のクリップ部材を示し、（ａ）は斜視図、（ｂ）は正面図、（ｃ）は側面図である。図２２に示すように、クリップ部材４０８は、本体部４０８ｂと、本体部４０８ｂの端部から軸方向に延びる一対の中間部４０８ａと、中間部４０８ａの後方に接続された接続部４０８ｃとを備える。クリップ部材４０８の少なくとも接続部４０８ｃは弾性変形可能な樹脂材料等により形成されている。
【００７９】
中間部４０８ａは、それぞれ、本体部４０８ｂの横方向両側から軸方向後方に向かって延びている。接続部４０８ｃは、径方向内側に配置され、円弧状断面を有する円弧部４０８ｃ１と、円弧部４０８ｃ１の両側部から径方向外方に平行に延びる一対の平行部４０８ｃ３と、各平行部から径方向外方に延びる一対の把持部４０８ｃ２とを有する。接続部４０８ｃにおける一対の把持部４０８ｃ２の径方向内側の部位に、一対の中間部４０８ａの後端部が接続されている。
【００８０】
一対の平行部４０８ｃ３は、内筒４１０の貫通孔４１０ｄ３と等しい軸方向長さを有する。一対の把持部４０８ｃ２は、径方向外方（図２２（ｃ）の右側）に向かうにつれて間隔が広がるように傾斜した状態で平行部４０８ｃ３に接続されている。円弧部４０８ｃ１の横方向両縁には、側方に突出する一対の係止部４０８ｃ４が形成されている。平行部４０８ｃ３の外側の面の間隔、すなわち、円弧部４０８ｃ１の横方向の両縁の間隔は、内筒４１０の収容部４１０ｄ２の貫通孔４１０ｄ３の幅と等しくなっている。
【００８１】
次に、クリップ部材４０８と軸筒２の接続機構について説明する。
クリップ部材４０８を軸筒２に取り付けるためには、接続部４０８ｃを円弧部４０８ｃ１の側から内筒４１０の貫通孔４１０ｄ３に押し込む。円弧部４０８ｃ１の横方向両縁には、係止部４０８ｃ４が設けられているため、接続部４０８ｃを貫通孔４１０ｄ３に押し込むと、接続部４０８ｃは係止部４０８ｃ４が近接するように撓む。そして、接続部４０８ｃをさらに押し込むと、係止部４０８ｃ４が切欠部４１０ｄ４に入り込み、接続部４０８ｃが撓んでいない状態に戻る。これにより、係止部４０８ｃ４が切欠部４１０ｄ４の縁に係止されるため、接続部４０８ｃが貫通孔４１０ｄ３から抜け出なくなる。また、この状態で、クリップ部材４０８の一対の平行部４０８ｃ３の外側面が、それぞれ、内筒４１０の貫通孔４１０ｄ３の両側に当接し、平行部４０８ｃ３の軸方向両端部がそれぞれ内筒４１０の貫通孔４１０ｄ３の軸方向両縁に当接している。このため、内筒４１０に対するクリップ部材４０８の移動が拘束され、クリップ部材４０８を軸筒２に取り付けることができる。
【００８２】
クリップ部材４０８を軸筒２から取り外すためには、クリップ部材４０８の一対の把持部４０８ｃ２を両側から挟み込む。これにより、一対の係止部４０８ｃ４が近接するように、接続部４０８ｃが撓まされる。そして、このように接続部４０８ｃを撓ませた状態で、接続部４０８ｃを、内筒４１０の貫通孔４１０ｄ３から離脱させる。これにより、クリップ部材４０８を軸筒２から取り外すことができる。
【００８３】
本実施形態によれば、クリップ部材４０８の接続部４０８ｃを内筒４１０の貫通孔４１０ｄ３内に配置し、係止部４０８ｃ４を貫通孔４１０ｄ３の縁に係止させることにより、クリップ部材４０８を着脱可能に筆記具本体に取り付けることができる。
そして、かかる構成の本実施形態によれば、軸筒２の後端の外周部に突部が形成されていないため、軸筒２の外面に容易に印刷等の加工を行うことができる。
【００８４】
＜第６実施形態＞
以下、本発明の第６実施形態による筆記具について説明する。なお、本実施形態において、第１実施形態と同様の構成については同じ符号を付して説明を省略する。
図２３は、本発明の第６実施形態による筆記具の内筒及びクリップ部材を示す斜視図である。本実施形態のノック式筆記具は、内筒及びクリップ部材の構成のみ、第１実施形態と異なっており、円筒状の軸筒と、軸筒内に収容されたリフィル部材と、軸筒の後端部に設けられた出没機構と、出没機構に接続されたクリップ部材５０８と、を備える。出没機構は、内筒５１０と、回転子と、スプリング部材と、ノック部材とを備える。
【００８５】
図２４は、図２３に示す筆記具の内筒を示し、（ａ）は正面図、（ｂ）は軸方向断面図、（ｃ）は上面図である。
図２４に示すように、内筒５１０は、円筒状の本体部１０ａと、本体部１０ａから先端側に延びるカム部１０ｂと、本体部１０ａの後端側に接続された円環状の後端部１０ｃと、後端部１０ｃから側方に延びるクリップ保持部５１０ｄとを備える。これら、本体部１０ａと、カム部１０ｂと、後端部１０ｃと、クリップ保持部５１０ｄとは、弾性材料により一体に成形されている。クリップ保持部５１０ｄは、内筒５１０を軸筒に取り付けた状態で、軸筒の側方に位置する。
【００８６】
クリップ保持部５１０ｄは、径方向外方から見て略矩形状の断面形状を有し、径方向内方の上端部が後端部１０ｃに接続されている。クリップ保持部５１０ｄには、横方向に延びる貫通孔５１０ｄ１が形成されている。クリップ保持部５１０ｄの軸方向前面及び後面と、両側面とには、全周にわたって連続する嵌合溝５１０ｄ２、５１０ｄ３、５１０ｄ４が形成されている。これら嵌合溝５１０ｄ２、５１０ｄ３、５１０ｄ４は、軸方向に平行な平面内に位置している。クリップ保持部５１０ｄの両側部及び前面に形成された嵌合溝５１０ｄ３、５１０ｄ４は表面が円弧状の断面形状に形成されている。嵌合溝５１０ｄ３、５１０ｄ４の円弧表面の中心角は１８０度未満となっている。クリップ保持部５１０ｄの後面に形成された嵌合溝５１０ｄ２は表面が円弧状の断面形状に形成されている。嵌合溝５１０ｄ２の円弧表面の中心角は１８０度よりも大きくなっている。
【００８７】
図２５は、図２３に示す筆記具のクリップ部材を示し（ａ）は斜視図、（ｂ）は（ａ）におけるｂ−ｂ断面図、（ｃ）は（ａ）におけるｃ−ｃ断面図である。図２５に示すように、クリップ部材５０８は平板状であり、一方の端部に矩形状の貫通孔５０８ａが形成されている。貫通孔５０８ａの形状は、内筒５１０のクリップ保持部５１０ｄの形状と略等しくなっている。
【００８８】
クリップ部材５０８の貫通孔５０８ａの両側及び前方（図２５（ｂ）における左側）の縁５０８ａ３、５０８ａ４は、円弧状の凸断面形状になっている。貫通孔５０８ａの円弧状の縁５０８ａ３、５０８ａ４の中心角は１８０度未満となっている。クリップ部材５０８の貫通孔５０８ａの後方（図２５（ｂ）における右側）の縁には、横方向に延びる接続部５０８ａ１が立設されている。そして、接続部５０８ａ１の前方の端部には円柱状の円柱部５０８ａ２が形成されている。
【００８９】
次に、クリップ部材５０８と軸筒の接続機構について説明する。
クリップ部材５０８を軸筒に取り付けるためには、まず、クリップ部材５０８の円柱部５０８ａ２を、内筒５１０のクリップ保持部５１０ｄの嵌合溝５１０ｄ２に嵌め込む。そして、クリップ部材５０８を、円柱部５０８ａ２を中心にクリップ部材５０８が軸筒と平行になるまで回転せる。これにより、クリップ部材５０８の貫通孔５０８ａの両側及び前方の縁５０８ａ３、５０８ａ４が、内筒５１０のクリップ保持部５１０ｄの５１０ｄ３、５１０ｄ４に嵌まり込む。これにより、クリップ部材５０８が内筒５１０を介して軸筒に取り付けられる。
【００９０】
また、クリップ部材５０８を軸筒に取り外すためには、クリップ部材５０８を、円柱部５０８ａ２を中心に、クリップ部材５０８の前方が軸筒から離間する方向に回転させる。これにより、クリップ部材５０８の貫通孔５０８ａの両側及び前方の縁５０８ａ３、５０８ａ４が、内筒５１０のクリップ保持部５１０ｄの５１０ｄ３、５１０ｄ４から離脱する。そして、クリップ部材５０８の円柱部５０８ａ２を、内筒５１０のクリップ保持部５１０ｄの嵌合溝５１０ｄ２から引き抜く。これにより、クリップ部材５０８を軸筒から取り外すことができる。
【００９１】
本実施形態によれば、クリップ部材５０８の貫通孔５０８ａの円柱部５０８ａ２及ぶ縁５０８ａ３、５０８ａ２４クリップ保持部５１０ｄの嵌合溝５１０ｄ２、５１０ｄ３、５１０ｄ４に嵌合させることにより、クリップ部材５０８を着脱可能に筆記具本体に取り付けることができる。
そして、かかる構成の本実施形態によれば、軸筒の後端の外周部に突部が形成されていないため、軸筒の外面に容易に印刷等の加工を行うことができる。
【００９２】
＜第７実施形態＞
以下、本発明の第７実施形態による筆記具について説明する。なお、本実施形態において、第１実施形態と同様の構成については同じ符号を付して説明を省略する。
図２６は、本発明の第７実施形態による筆記具の内筒及びクリップ部材を示す斜視図である。また、図２７は、本発明の第７実施形態による筆記具の内筒及びクリップ部材を示し、（ａ）は正面図、（ｂ）は軸方向断面図である。図２６及び図２７に示すように、本実施形態のノック式筆記具は、内筒及びクリップ部材の構成のみ、第１実施形態と異なっており、円筒状の軸筒と、軸筒内に収容されたリフィル部材と、軸筒の後端部に設けられた出没機構と、出没機構に接続されたクリップ部材６０８と、を備える。出没機構は、内筒６１０と、回転子と、スプリング部材と、ノック部材とを備える。
【００９３】
図２８は、図２６に示す筆記具の内筒を示し、（ａ）は斜視図、（ｂ）は正面図である。図２８に示すように、内筒６１０は、円筒状の本体部１０ａと、本体部１０ａから先端側に延びるカム部１０ｂと、本体部１０ａの後端側に接続された円環状の後端部１０ｃと、後端部１０ｃから側方に延びるクリップ保持部６１０ｄとを備える。これら、本体部１０ａと、カム部１０ｂと、後端部１０ｃと、クリップ保持部６１０ｄとは、一体に成形されている。クリップ保持部６１０ｄは、後端部１０ｃの側方に接続されている。
【００９４】
クリップ保持部６１０ｄは、径方向外方に向かって延びる接続部６１０ｄ１と、接続部６１０ｄ１の径方向外端面から径方向外方に向かって延びる螺合部６１０ｄ２とを有する。接続部６１０ｄ１は円柱状である。接続部６１０ｄ１の周面の前方側の部分には突出部６１０ｄ３が形成されている。螺合部６１０ｄ２は、接続部６１０ｄ１よりも小径の円柱状である。螺合部６１０ｄ２の周面には螺条６１０ｄ４が形成されている。
【００９５】
図２９は、図２６に示す筆記具のクリップ部材を示し、（ａ）は斜視図、（ｂ）は断面図である。図２９に示すように、クリップ部材６０８は平板状であり、一方の端部に内筒６１０に取り付けるための円形の貫通孔６０８ａが形成されている。貫通孔６０８ａは、内筒６１０の螺合部６１０ｄ２と略同径であり、内周面に螺条溝６０８ａ１が形成されている。また、クリップ部材６０８の軸方向内方（図２９（ｂ）で下側）の面の貫通孔６０８ａの前方側（図２９（ｂ）の右側）近傍には、突部６０８ｂが形成されている。
【００９６】
次に、クリップ部材６０８と軸筒の接続機構について説明する。
クリップ部材６０８を軸筒に取り付けるためには、まず、クリップ部材６０８の貫通孔６０８ａを内筒６１０の螺合部６１０ｄ２と同軸に配置し、クリップ部材６０８を回転させながら、クリップ部材６０８の突部６０８ｂが内筒６１０の突出部６１０ｄ３に当接するまで、螺合部６１０ｄ２を貫通孔６０８ａに挿入する。これにより、内筒６１０の螺合部６１０ｄ２の螺条６１０ｄ４と、クリップ部材６０８の螺条溝６０８ａ１とが螺合する。このようにして、クリップ部材６０８を、内筒６１０を介して軸筒に取り付けることができる。また、クリップ部材６０８を軸筒から取り外しには、クリップ部材６０８を内筒６１０に対して回転させる。これにより、内筒６１０の螺合部６１０ｄ２の螺条６１０ｄ４と、クリップ部材６０８の螺条溝６０８ａ１との螺合が解除され、クリップ部材６０８を軸筒から取り外すことができる。
【００９７】
本実施形態によれば、クリップ部材６０８の貫通孔６０８ａの螺条６０８ａ１と、内筒６１０の接続部６１０ｄ１の螺条６１０ｄ２とを螺合させることにより、クリップ部材６０８を着脱可能に筆記具本体に取り付けることができる。
そして、かかる構成の本実施形態によれば、軸筒の後端の外周部に突部が形成されていないため、軸筒の外面に容易に印刷等の加工を行うことができる。
【符号の説明】
【００９８】
１  ノック式筆記具
２  軸筒
２ａ  先端開口
２ｂ  後端開口
２ｃ  螺合部
２ｄ  段部
２ｅ  切欠部
２ｆ  貫通孔
４  リフィル部材
４ｂ  筆先部
６  出没機構
８  クリップ部材
８ａ  接続部
８ａ１  基部
８ａ２  先端部
８ｂ  本体部
８ｃ  切欠部
８ｄ  側縁部
１０  内筒
１０ａ  本体部
１０ｂ  カム部
１０ｃ  後端部
１０ｄ  クリップ保持部
１０ｄ１  接続部
１０ｄ２  本体部
１０ｄ３  保持部
１０ｄ３ａ  基部
１０ｄ３ｂ  拡幅部
１０ｄ４  保持部
１０ｄ５  突部
１０ｅ  螺合部
１０ｆ  軸方向突部
１２  回転子
１４  スプリング部材
１６  ノック部材
１８  切欠部
１８ａ  軸方向溝部
１８ｂ  案内部
２０  切欠部
２１  基部
２２  本体部
２２ａ  縮径部
２４  後端部
２４ａ  円柱部
２４ｂ  円錐台部
２４ｃ  表示部
２６  円環部
２６ａ  カム突部
２８  カム柱
３０  保持部
３２  前部
３２ａ  軸方向溝部
３２ｂ  突部
３４  中間部
３４ｂ  係止部
３６  後部
１０１  ノック式筆記具
１０８  クリップ部材
１０８ａ  弾性アーム部
１０８ａ１  係止部
１０８ｂ  本体部
１１０  内筒
１１０ｄ  クリップ保持部
１１０ｄ１  腕部
１１０ｄ２  収容部
１１０ｄ３  貫通孔
１１０ｄ４  係止開口
１１０ｄ５  突部
２０１  ノック式筆記具
２０１ｄ１  開口部
２０８  クリップ部材
２０８ａ  本体部
２０８ｂ  挿入部
２０８ｂ１  螺条
２０８ｃ  接続部
２０８ｃ１  円弧部
２０８ｃ２  中間部
２０８ｃ３  外方部
２１０  内筒
２１０ａ  本体部
２１０ａ１  切欠部
２１０ｃ  後端部
２１０ｄ  クリップ保持部
２１０ｄ１  開口部
２１２  円柱部
２１６  貫通孔
３０１  ノック式筆記具
３０２  軸筒
３０２ｅ  切欠部
３０２ｆ  貫通孔
３０８  クリップ部材
３０８ａ  接続部
３０８ａ１  突部
３０８ａ２  螺条
３０８ｂ  本体部
３０８ｃ  中間部
３１０  内筒
３１０ｄ  クリップ保持部
３１０ｄ１  腕部
３１０ｄ２  カバー部
４０１  ノック式筆記具
４０８  クリップ部材
４０８ａ  中間部
４０８ｂ  本体部
４０８ｃ  接続部
４０８ｃ１  円弧部
４０８ｃ２  把持部
４０８ｃ３  平行部
４０８ｃ４  係止部
４１０  内筒
４１０ｄ  クリップ保持部
４１０ｄ１  腕部
４１０ｄ２  収容部
４１０ｄ３  貫通孔
４１０ｄ４  切欠部
５０８  クリップ部材
５０８ａ  貫通孔
５０８ａ１  接続部
５０８ａ２  円柱部
５０８ａ３  縁
５１０  内筒
５１０ｄ  クリップ保持部
５１０ｄ１  貫通孔
５１０ｄ２、５１０ｄ３、５１０ｄ４  嵌合溝
６０８  クリップ部材
６０８ａ  貫通孔
６０８ａ１  螺条溝
６０８ｂ  突部
６１０  内筒
６１０ｄ  クリップ保持部
６１０ｄ１  接続部
６１０ｄ２  螺合部
６１０ｄ３  突出部
６１０ｄ４  螺条
【図１】
2019119150.tif 000003
【図２】
2019119150.tif 000004
【図３】
2019119150.tif 000005
【図４】
2019119150.tif 000006
【図５】
2019119150.tif 000007
【図６】
2019119150.tif 000008
【図７】
2019119150.tif 000009
【図８】
2019119150.tif 000010
【図９】
2019119150.tif 000011
【図１０】
2019119150.tif 000012
【図１１】
2019119150.tif 000013
【図１２】
2019119150.tif 000014
【図１３】
2019119150.tif 000015
【図１４】
2019119150.tif 000016
【図１５】
2019119150.tif 000017
【図１６】
2019119150.tif 000018
【図１７】
2019119150.tif 000019
【図１８】
2019119150.tif 000020
【図１９】
2019119150.tif 000021
【図２０】
2019119150.tif 000022
【図２１】
2019119150.tif 000023
【図２２】
2019119150.tif 000024
【図２３】
2019119150.tif 000025
【図２４】
2019119150.tif 000026
【図２５】
2019119150.tif 000027
【図２６】
2019119150.tif 000028
【図２７】
2019119150.tif 000029
【図２８】
2019119150.tif 000030
【図２９】
2019119150.tif 000031